(57)【要約】      （修正有）【課題】発信機カバーの点検扉をガタ付くことなく閉鎖位置及び開放位置に保持して操作性を向上した発信機を提供する。【解決手段】発信機のカバープレート１２には、本体の押し釦スイッチをオン操作する保護プレートと開閉自在な点検扉が設けられる。カバープレート１２に形成された扉開口部２４の上部内側両面には、軸部２８と位置決め突起３０が形成される。点検扉１６の上部両側面の張出し部４０には、扉開口部２４の軸部２８に嵌合する軸受け穴部４２と、扉開口部２４の位置決め突起３０に点検扉１６の開放位置で嵌合する開放位置決め穴４６と、扉開口部の位置決め突起３０に点検扉１６の閉鎖位置で嵌合する閉鎖位置決め穴４４が設けられる。【選択図】図６
2020123185.tif 000002
【特許請求の範囲】
【請求項１】
押し釦スイッチを備えた本体の前面にカバープレートが配置され、前記カバープレートに押し込みにより前記押し釦スイッチをオン操作する保護プレートと開閉自在な点検扉が設けられた発信機に於いて、
前記点検扉を開放位置及び閉鎖位置の各々で保持する開閉保持構造を、前記カバープレートに形成された扉開口部と前記点検扉に設けたことを特徴とする発信機。
【請求項２】
請求項１記載の発信機に於いて、
前記開閉保持構造は、
前記カバープレートに形成された扉開口部の上部内側両面から突出された軸部と、
前記点検扉の開放位置又は閉鎖位置に位置決めする扉開口部の内側両面から突出された位置決め突起と、
前記扉開口部の軸部と嵌合するように、前記点検扉の上部両側面の後方への張出し部に形成された軸受部と、
前記扉開口部の前記位置決め突起に前記点検扉の開放位置で嵌合するように、前記点検扉の両側面の前記張出し部に形成された開放位置決め受け部と、
前記扉開口部の前期位置決め突起に前記点検扉の閉鎖位置で嵌合するように、点検扉の両側面の前記張出し部に形成された閉鎖位置決め受け部と、
を備えたことを特徴とする発信機。
【請求項３】
請求項２記載の発信機に於いて、
前記軸部は、前記点検扉に形成した前記軸受部の押し込みを受ける方向の軸先端に斜めとなるテーパガイド面が形成され、
前記点検扉の前記張出し部に前記軸受部へ前記扉開口部の前記軸部を案内するテーパガイド溝が形成されたことを特徴とする発信機。
【請求項４】
請求項２記載の発信機に於いて、前記扉開口部の上部内側両面に突出された位置決め突起は、球状又は楕円球状の突出形状を有することを特徴とする発信機。
【請求項５】
請求項２記載の発信機に於いて、前記扉開口部の内側両面の下側に、前記点検扉との隙間から侵入した水を排水する水抜き通路が設けられたことを特徴とする発信機。
【発明の詳細な説明】
【技術分野】
【０００１】
本発明は、押し釦スイッチと点検扉を備えた自動火災報知設備に用いられる発信機に関する。
【背景技術】
【０００２】
従来、自動火災報知設備にあっては、火災受信機から引き出された感知器回線に火災感知器を接続すると共に発信機を接続している。発信機は警戒区域の廊下等の壁面に設置されており、赤い円盤状の発信機本体の前面に配置したカバープレートに透明アクリル等で作られた保護プレートが配置されており、火災時には保護プレートの押し込みにより、その背後の本体に配置した押し釦スイッチをオン操作し、これにより火災通報信号が火災受信機に送信され、火災警報を行うようにしている。
【０００３】
また、発信機のカバープレートには、上向きに開閉する点検扉が設けられており、点検扉を開いて内部に設けられた電話ジャックに保守電話機のプラグを接続したり、本体側に設けられた銘板や認定シール等を確認できるようにしている。
【先行技術文献】
【特許文献】
【０００４】
【特許文献１】特開２０１４−１６０３１０号公報
【特許文献２】特開２０１６−１１８９３７号公報
【発明の概要】
【発明が解決しようとする課題】
【０００５】
しかしながら、このような従来の発信機に設けられた点検扉にあっては、カバープレートの扉開口部に開閉自在に軸支した点検扉を、本体側に設けた閉鎖固定部と干渉することで、点検扉を閉鎖位置に保持しているが、樹脂製となるカバープレートと本体の嵌め合い構造の位置関係により、点検扉にガタ付きが生じ、輸送中に点検扉が動いて破損する可能性があり、また、発信機の設置状態で強い風を受けると点検扉がバタつき、雨水等が浸入する恐れがある。また、点検時に点検扉を開いても開放位置に保持されず、点検扉を指で押さえながら点検作業を行うこととなり、作業性が良くないという問題もある。
【０００６】
また、発信機内部に記載された各種情報を確認する際に点検扉を指で押さえたりすると指で隠れたり、陰になったりして確認しづらいという問題もある。
【０００７】
また、寸法誤差を考慮した設計により点検扉の開放角度が設計上の角度よりも小さい角度となり確認しづらくなる恐れもあった。
【０００８】
本発明は、簡単な構造により発信機カバーの点検扉をガタ付くことなく閉鎖位置及び開放位置に保持して操作性を向上する発信機を提供することを目的とする。
【課題を解決するための手段】
【０００９】
（発信機）
本発明は、押し釦スイッチを備えた本体の前面にカバープレートが配置され、カバープレートに押し込みにより押し釦スイッチをオン操作する保護プレートと開閉自在な点検扉が設けられた発信機に於いて、
点検扉を開放位置及び閉鎖位置の各々で保持する開閉保持構造を、カバープレートに形成された扉開口部と点検扉に設けたことを特徴とする。
【００１０】
（開閉保持構造）
点検扉の開閉保持構造は、
カバープレートに形成された扉開口部の内側両面から突出された軸部と、
点検扉の開放位置又は閉鎖位置に位置決めする扉開口部の上部内側両面から突出された位置決め突起と、
扉開口部の軸部を嵌合するように、点検扉の上部両側面の後方への張出し部に形成された軸受部と、
扉開口部の位置決め突起に点検扉の開放位置で嵌合するように、点検扉の両側面の張出し部に形成された開放位置決め受け部と、
扉開口部の位置決め突起に点検扉の閉鎖位置で嵌合するように、点検扉の両側面の張出し部に形成された閉鎖位置決め受け部と、
が設けられたことを特徴とする。
【００１１】
（軸部先端のテーパ開度面）
軸部は、点検扉に形成した軸受部の押し込みを受ける方向の軸先端に斜めとなるテーパガイド面が形成され、点検扉の張出し部に軸受部へ扉開口部の軸部を案内するテーパガイド溝が形成される。
【００１２】
（位置決め突起の形状）
扉開口部の上部内側両面から突出された位置決め突起は、球状又は楕円球状に突出形状を有する。
【００１３】
（扉開口部の排水路）
扉開口部の内側両面の下側に、点検扉との隙間から侵入した水を排水する水抜き通路が設けられる。
【発明の効果】
【００１４】
（基本的な効果）
本発明は、押し釦スイッチを備えた本体の前面にカバープレートが配置され、カバープレートに押し込みにより前記押し釦スイッチをオン操作する保護プレートと開閉自在な点検扉が設けられた発信機に於いて、点検扉を開放位置及び閉鎖位置の各々で保持する開閉保持構造を、カバープレートに形成された扉開口部と点検扉に設けたため、カバープレートと本体との嵌め合い構造による位置関係の影響を受けることがなく、カバープレートに形成された扉開口部側と点検扉側の開閉保持構造により高い寸法精度による開放位置と閉鎖位置に点検扉をガタ付くことなく保持することができ、点検扉のガタ付きによる輸送中の問題や設置状態での強い風による問題等が解消され、更に、点検員は点検時に点検扉を開いた位置に保持する必要がなく、点検作業を行い易くできる。
【００１５】
（開閉保持構造の効果）
また、点検扉の開閉保持構造は、カバープレートに形成された扉開口部の上部内側両面から突出された軸部と、点検扉の開放位置又は閉鎖位置に位置決めする扉開口部の内側両面から突出された位置決め突起と、扉開口部の軸部を嵌合するように、点検扉の上部両側面の後方への張出し部に形成された軸受部と、扉開口部の位置決め突起に点検扉の開放位置で嵌合するように、点検扉の両側面の張出し部に形成された開放位置決め受け部と、扉開口部の位置決め突起に点検扉の閉鎖位置で嵌合するように、点検扉の両側面の張出し部に形成された閉鎖位置決め受け部とが設けられたため、カバープレートの扉開口部の上部側両面に軸部と位置決め突起を形成し、これに対応して点検扉の上部両側面の後方張出し部に、軸受部、開放位置決め受け部及び閉鎖位置決め受け部を設けるという簡単な構造により、高い寸法精度をもった開閉保持構造を実現することができる。
【００１６】
また、点検扉側に軸受部と位置決め受け部という凹部を形成して凸部を形成しないことで、点検扉を押し込んで嵌合させる場合にカバープレートと点検扉が干渉しないため、カバープレートの設計の自由度が増す。また、カバープレートに形成される扉開口部正面の左右幅を点検扉の左右幅と概同じとできるため、点検扉を閉鎖したときに防水性を確保することができる。
【００１７】
（軸部先端のテーパガイド面の効果）
また、軸部は、点検扉に形成した軸受部の押し込みを受ける方向の軸先端に斜めとなるテーパガイド面が形成され、点検扉の張出し部に軸受部へ扉開口部の軸部を案内するテーパガイド溝が形成されたため、扉開口部の内側両面に突出された軸部に、前方から点検扉の両側面の後方張出し部に形成した軸受部を押し込んで嵌合させる場合、点検扉の後方張出し部が軸先端のテーパガイド面に当接して撓み、且つ、案内テーパ溝に沿って案内されることで、無理なく点検扉の軸受部を扉開口部の軸部に嵌め込んで開閉自在に軸支させることができる。
【００１８】
（位置決め突起の形状の効果）
また、扉開口部の上部内側両面に突出された位置決め突起は、球状又は楕円球状の突出形状を有するため、カバープレートの扉開口部に軸支された点検扉の開方向又は閉方向の動きに対し、扉開口部の位置決め突起に対し、点検扉側の開放位置決め受け部又は閉鎖位置決め受け部の開閉に伴う嵌め込みと抜け出しを滑らかに行うことができ、また、点検扉を開閉したときの位置決め保持のクリック感を十分に出すことができ、操作感を高めることができる。
【００１９】
このため、製品出荷時に点検扉を閉鎖する際、クリック感が生じるまで扉を閉鎖操作するような作業手順が可能となり、点検扉の閉鎖操作が誤りなく行われるよう補助が可能となる。
【００２０】
また、前方から点検扉をカバープレートに嵌合させる際に、位置決め突起に案内されて点検扉の後方張出し部が位置決め突起に当接して撓むことで、無理なく点検扉をカバープレートに嵌合させることができる。
【００２１】
また、点検扉の開放及び閉鎖操作の際、後方張出し部が位置決め突起に当接して撓むことで点検扉の位置を仮固定することができる。
【００２２】
（扉開口部の水抜き通路の効果）
また、扉開口部の内側両面の下側に、点検扉との隙間から侵入した水を排水する水抜き通路が設けられたため、点検扉の隙間から内部に水が入ろうとしても、扉開口部の内側両面の下側に形成された水抜き通路に入って排水され、内部に対する水の侵入を抑制することができる。
【図面の簡単な説明】
【００２３】
【図１】本発明による発信機の外観を示した説明図
【図２】発信機のカバープレートを取り出して示した説明図
【図３】カバープレートの扉開口部を拡大して示した説明図
【図４】軸部、位置決め突起、及び水抜き通路が設けられた扉開口部を取り出して示した斜視図
【図５】発信機の点検扉を取り出して示した説明図
【図６】点検扉の閉鎖状態と開放状態を断面で示した説明図
【図７】点検扉の開放角度を大きくする他の実施形態を示した説明図
【図８】点検扉の他の実施形態を示した説明図
【発明を実施するための形態】
【００２４】
［実施形態の基本的概念］
図１は本発明による発信機の外観を示した説明図である。本実施形態による発信機の基本的な概念は、押し釦スイッチ２０を備えた本体１４の前面にカバープレート１２が配置され、カバープレート１２に押し釦スイッチをオン操作する保護プレート１８と開閉自在な点検扉１６が設けられた発信機１０に於いて、点検扉１６を開放位置及び閉鎖位置の各々で保持する開閉保持構造を、カバープレート１２に形成された扉開口部２４と点検扉１６の間に設けたものであり、カバープレート１２と本体１４との嵌め合い構造による位置関係の影響を受けることがなく、カバープレート１２に形成された扉開口部側と点検扉１６側の開閉保持構造により高い寸法精度による開放位置と閉鎖位置に点検扉１６をガタ付くことなく保持することができ、点検扉１６のガタ付きによる輸送中の問題や設置状態での強い風による問題等が解消され、更に、点検員は点検時に点検扉を開いた位置に保持する必要がなく、点検作業を行い易くできる、というものである。
【００２５】
また、点検扉１６の開閉保持構造は、図２乃至図５に示すように、カバープレート１２に形成された扉開口部２４の上部内側両面から突出された軸部２８と、点検扉１６の開放位置又は閉鎖位置に位置決めする扉開口部２４の上部内側両面から突出された位置決め突起３０と、扉開口部２４の軸部２８を嵌合するように、点検扉１６の上部両側面の後方への張出し部４０に形成された軸受け穴４２と、扉開口部２４の位置決め突起３０に点検扉１６の開放位置で嵌合するように、点検扉１６の上部両側面の張出し部４０に形成された開放位置決め穴４６と、扉開口部２４の位置決め突起３０に点検扉１６の閉鎖位置で嵌合するように、点検扉１６の上部両側面の張出し部４０に形成された閉鎖位置決め穴４４とが設けられおり、カバープレート１２の扉開口部２４の上部側両面に軸部２８と位置決め突起３０を形成し、これに対応して点検扉１６の上部両側面の後方への張出し部４０に、軸受け穴４２、開放位置決め穴４６及び閉鎖位置決め穴４４を設けるという簡単な構造により、高い寸法精度をもった開閉保持構造を実現することができる、というものである。以下、詳細に説明する。
【００２６】
［発信機の概要］
図１（Ａ）は発信機の正面を示し、図１（Ｂ）は発信機の側面を示している。図１に示すように、発信機１０はカバープレート１２とその裏側に設けられた本体１４で構成され、合成樹脂を使用し、全体が赤に着色されている。
【００２７】
カバープレート１２には、前面に開口した取付穴に保護プレート１８が配置されて保持されており、保護プレート１８の背後の本体１４側に押し釦スイッチ２０が配置されている。保護プレート１８の表面には、操作ガイダンスとして例えば「強く押す」が印刷又は刻設されている。
【００２８】
カバープレート１２に設けた保護プレート１８の上側には点検扉１６が配置される。点検扉１６は上側を軸として上下方向に開閉され、点検扉１６の表面には「火災報知機」の文字が印刷又は刻設されている。
【００２９】
点検扉１６は、扉開口部との間に設けられた開閉保持機構により、図示の閉鎖状態で保持されており、ガタ付くことなく、また、点検扉１６を上向きに開くと、略水平に開いた開放位置に保持される。
【００３０】
発信機１０は監視区域の廊下等の壁面に直接埋込設置されるか、機器収納箱に取付られた状態で監視区域の壁面等に埋込み設置され、本体１４の外側に設けた端子台２２に火災受信機から引き出された感知器回線を接続している。
【００３１】
発信機１０を操作する場合には、保護プレート１８を指で強く押し込むと、取付穴２６から保護プレート１８が外れて内部に押し込まれ、これにより押し釦スイッチ２０のスイッチノブを押し込んでオン操作し、このオン操作により火災通報信号を火災受信機に送信して火災警報を出力させる。
【００３２】
［カバープレート側の開閉保持構造］
図２は発信機のカバープレートを取り出して示した説明図、図３はカバープレートの扉開口部を拡大して示した説明図、図４は軸部、位置決め突起、及び水抜き通路が設けられた扉開口部を取り出して示した斜視図である。
【００３３】
図２に示すように、カバープレート１２は円盤状又は薄皿状の部材であり、射出成型により作られており、赤に着色された合成樹脂を使用している。
【００３４】
カバープレート１２の下側には、図１に示した保護プレート１８を配置するための取付穴２６が開口され、その上に、図１に示した点検扉１６を開閉自在に装着する扉開口部２４が形成されている。
【００３５】
本実施形態における点検扉１６の開閉保持機構における扉開口部２４側の構造として、扉開口部２４の上部内側面の両側から軸部２８が突出されており、軸部２８の下側に、点検扉１６を開放位置又は閉鎖位置に位置決め保持するための位置決め突起３０が突出されている。
【００３６】
扉開口部２４に形成された軸部２８は、図４に示すように、扉開口部２４の側壁上部から横方向に突出されており、軸部２８の先端面は、前方に向けて斜めに切欠したテーパガイド面３８を形成している。テーパガイド面３８は軸部２８に点検扉１６側の軸受け穴を嵌合する際に利用される。
【００３７】
軸部２８の下側に形成された位置決め突起３０は、球状又は楕円球状に突出しており、点検扉１６側に形成した位置決め穴の嵌合を受けて点検扉１６を閉鎖位置又は開放位置に保持する機能を果たす。なお、位置決め突起３０の高さは軸部２８の高さよりも短い。
【００３８】
また、扉開口部２４の両側には水抜き通路３４ａ，３４ｂが形成されている。扉開口部２４の左側に形成された水抜き通路３４ａは独立した通路として形成されており、図４から明らかなように、扉開口部２４の左側面に設けた軸部２８及び位置決め突起３０の下側に位置し、手前に向かって水平部から下向き傾斜部に続く水路形状とし、下枠には切欠３６が形成され、水抜き通路３４ａを通った水を外側に抜くようにしている。
【００３９】
また、扉開口部２４の右側に形成された水抜き通路３４ｂは、図３に示すように、扉開口部２４の右側には本体側に設けた電話ジャックに電話子機のプラグを差し込むためのプラグガイド３２が形成されているため、プラグガイド３２に対応した横幅をもつ水抜き通路３４ｂとして形成され、その下枠には切欠３６が形成され、水抜き通路３４ｂを通った水を外側に抜くようにしている。
【００４０】
なお、プラグガイド３２がない場合は、右側の水抜き通路３４ｂも、左側の水抜き通路３４ａと同様な構造とする。
【００４１】
［点検扉側の開閉保持構造］
図５は発信機の点検扉を取り出して示した説明図であり、図５（Ａ）に正面を示し、図５（Ｂ）に右側面を示し、図５（Ｃ）に扉上部の張出し部の構造を示す。
【００４２】
図５に示すように、点検扉１６は板状の扉本体１６ａの両側上部から後方に張出し部４０を形成しており、張出し部４０の付け根側に、軸受部として機能する軸受け穴４２を形成している。
【００４３】
図示の閉鎖位置にある点検扉１６における軸受け穴４２の垂直方向の中心線４２ａ上の所定位置には閉鎖位置決め受け部として機能する閉鎖位置決め穴４４が形成され、また、軸受け穴４２の水平方向の中心線４２ｂ上の所定位置には開放位置決め受け部として機能する開放位置決め穴４６が形成されている。
【００４４】
ここで、中心線４２ａ，４２ｂの交差角は略９０°であり、点検扉１６の開閉角度が設定される。また、軸受け穴４２と閉鎖位置決め穴４４及び開放位置決め穴４６の中心間隔は、図４に示した扉開口部２４の側面に設けた軸部２８と位置決め突起３０の中心間隔に一致するようにしている。
【００４５】
また、張出し部４０に形成した軸受け穴４２の上側の扉本体１６ａに沿った方向には、斜めに切り抜いたテーパガイド溝４８が軸受け穴４２に向けて形成されている。
【００４６】
［扉開口部に対する点検扉の組付け］
図２乃至図４に示したカバープレート１２に形成した扉開口部２４に対する図５に示した点検扉１６の組付けは、扉開口部２４に対し点検扉１６を水平にした状態で、扉開口部２４の上部両側の軸部２８に、点検扉１６の張出し部４０に形成したテーパガイド溝４８を位置合わせした状態で押し込む。
【００４７】
この押込みにより、点検扉１６のテーパガイド溝４８が扉開口部２４の軸部２８の先端に形成したテーパガイド面３８に当接し、テーパ面同士の擦り合わせにより点検扉１６側の張出し部４０が撓み変形し、これにより軸受け穴４２を軸部２８に無理なく嵌め込むことができる。
【００４８】
このようにして点検扉１６の軸受け穴４２が扉開口部２４の軸部２８に嵌り込むと、扉開口部２４に点検扉１６が回動自在に軸支され、点検扉１６は軸部２８を壊さない限り、抜けるようなことはない。
【００４９】
また、点検扉１６の前面上部は点検扉開閉時に扉開口部２４上部のカバープレートと干渉しないように切り欠かれた切欠部１６ｂが形成されている。
【００５０】
［点検扉の開閉時の保持］
図６は点検扉の閉鎖状態と開放状態を断面で示した説明図であり、図６（Ａ）に閉鎖保持を示し、図６（Ｂ）に開放保持を示しており、点検扉を実線とし、カバープレート側の扉開口部を想像線としている。
【００５１】
図６（Ａ）に示す点検扉１６の閉鎖状態では、点検扉１６を下側に閉じた閉鎖位置に回動すると、点検扉１６の張出し部４０に形成した閉鎖位置決め穴４４が扉開口部２４側に形成した位置決め突起３０に嵌合し、点検扉１６を閉鎖位置に保持することができる。これにより点検扉１６が閉鎖状態でバタ付くことがなく、輸送中に破損したり、設置状態で強い風を受けても開くようなことはない。
【００５２】
また、図６（Ｂ）に示す点検扉１６の開放状態では、点検扉１６を略水平に開いた開放位置に回動すると、点検扉１６の張出し部４０に形成した開放位置決め穴４６が扉開口部２４側に形成した位置決め突起３０に嵌合し、点検扉１６を開放位置に保持することができる。これにより点検扉１６を開いて電話機のプラグを接続する場合や内部の銘板や検定シール等を確認する場合、点検扉１６を開放状態に抑えている必要はなく、確認が容易となる。
【００５３】
また、点検扉１６の開閉操作は、球状又は楕円球状をもつ位置決め突起３０に対する閉鎖位置決め穴４４又は開放位置決め穴４６の着脱となることで、良好な操作感覚が得られ、寸法精度の高い扉開閉構造との認識を強く受けることができ、発信機１０の品質の良さが印象付けられる。
【００５４】
［本発明の変形例］
［複数の位置決め穴］
上記の実施形態は、閉鎖位置決め穴４４及び開放位置決め穴４６の二つの位置決め穴を設けているが、軸受部中心と位置決め穴間の距離を概同じにするならば、更に位置決め穴を設けても良い。また、図７に示すように、開放位置決め穴４６よりも大きい角度の位置に第二開放位置決め穴４６ａを設けても良い。例えば、第二開放位置決め穴４６ａの中心から軸受け穴４２の中心を結ぶ中心線４２ｃと中心線４２ａが為す角度を１２０°とする。この場合、扉開放時に点検扉１６がカバープレートに干渉しないよう扉開口を広く取る必要がある。また、扉開口が広がった分を閉鎖可能となるよう、扉閉鎖時に扉開口が閉鎖されるように点検扉１６の上端部１６ｃを延伸する。開放角度が大きくなるほど点検扉開放時に内部の確認が容易となるが、上記扉開口と点検扉の正面上部が影響を受けるため、開放角度を９０°とすることが好適である。
【００５５】
［点検扉前面上部の切欠き部］
上記の実施形態は、点検扉１６の前面上部の切欠き部１６ｂは略一つの平面により構成されているが、図８に示すように、中央部を例えば三角形に飛出した飛出し形状１６ｄとするか、山形に飛出した曲面により構成されても良い。このような形態としたとき、点検扉１６の前面上部の切欠き部１６ｂと扉開口部２４上部のカバープレート１２に溜まる水が正面側もしくは左右側の水抜き通路３４ａ，３４ｂに案内されるため防水性能を高めることができる。
【００５６】
上記の実施形態は、扉開口部側に軸部と位置決め突起を設け、点検扉側に軸受け穴、閉鎖位置決め穴、及び開放位置決め穴を設けているが、逆に、扉開口部側に軸受け穴と位置決め穴を設け、点検扉側に軸部、閉鎖位置決め突起、及び開放位置決め突起を設けるようにしても良い。
【００５７】
上記の実施形態は、自動火災報知設備に使用される発信機を例にとっているが、これに限定されない。例えば、トンネル消火栓設備や他の防災設備に使用される発信機に同様に設けることができる。
【００５８】
また、本発明はその目的と利点を損なうことのない適宜の変形を含む。また本発明は上記の実施形態に示した数値による限定は受けない。
【符号の説明】
【００５９】
１０：発信機
１２：カバープレート
１４：本体
１６：点検扉
１８：保護プレート
２０：押し釦スイッチ
２２：端子台
２４：扉開口部
２６：取付穴
２８：軸部
３０：位置決め突起
３２：プラグガイド
３４ａ，３４ｂ：水抜き通路
３６：切欠
３８：テーパガイド面
４０：張出し部
４２：軸受け穴
４４：閉鎖位置決め穴
４６：開放位置決め穴
４８：テーパガイド溝
【図１】
2020123185.tif 000003
【図２】
2020123185.tif 000004
【図３】
2020123185.tif 000005
【図４】
2020123185.tif 000006
【図５】
2020123185.tif 000007
【図６】
2020123185.tif 000008
【図７】
2020123185.tif 000009
【図８】
2020123185.tif 000010